(57)【要約】【課題】  防振性能の向上とともに耐振動性能の向上をも図ることができる光学系ユニットを提供する。【解決手段】  光学系を収容するハウジング５１と上カバー１３との間で光学系から出力される信号を透過させる側に防塵部材５７及び防塵ガラス５５を配設した光学系ユニット１１において、上カバー１３の上面に、防塵部材５７の上方中央側に相当する位置を防塵ガラス５５側へ押圧する押圧保持手段の一部を構成する係止部１５，１７と、他の一部を構成するものとして係止部１５，１７に係止された際に中央側の曲げ部分２５が防塵ガラス５５の方向に弾発力で押圧力を加える弾発部２３とを備える。【選択図】        図１
2005260396.tif 000002
【特許請求の範囲】
【請求項１】
光学系を収容するハウジングと、
前記ハウジングの上面側の開放領域を閉塞する上カバーと、
前記ハウジングと前記上カバーとの間で、前記光学系から出力される信号を透過させる側に配置される防塵部材及び防塵ガラスと、
前記ハウジングの両端側で、前記防塵部材を前記防塵ガラス側に押圧し固定する固定部とを備えた光学系ユニットにおいて、
前記上カバーに、前記防塵部材の上方中央側に相当する位置か、もしくは前記防塵ガラスの付近に相当する位置を前記防塵ガラス側乃至は前記ハウジング側へ押圧する押圧保持手段を構成したことを特徴とする光学系ユニット。
【請求項２】
前記押圧保持手段は、前記上カバーの両端側に構成した係止部と、前記係止部に係止された際に中央側の曲げ部分が前記防塵ガラスの方向に弾発力で押圧力を加える弾発部とを備えて構成したことを特徴とする請求項１に記載の光学系ユニット。
【請求項３】
前記押圧保持手段は、前記上カバーの上面で、前記防塵部材の上方中央側に相当する位置に配置した重り部材からなり、該重り部材は、前記上カバーの前記防塵部材による湾曲力よりも大きな押圧力を発し得る重量を有することを特徴とする請求項１に記載の光学系ユニット。
【請求項４】
前記押圧保持手段は、前記上カバーの上面または裏面で、前記防塵部材の付近に相当する位置に振動体を介して配設した重り部材からなり、該重り部材は、前記上カバーの前記防塵部材による湾曲力よりも大きな押圧力もしくは引力を発し得る重量を有することを特徴とする請求項１に記載の光学系ユニット。
【発明の詳細な説明】
【技術分野】
【０００１】
本発明は、例えば原稿を光学的に読み取った光学系からの信号（例えばＬＤビーム）を画像形成系へ出力する光学系ユニットに係るものであり、詳しくは光学系からの信号（例えばＬＤビーム）の出力側に防塵ガラスを設け、かつ防塵ガラスと上カバーとの間に防塵部材を設けることで飛散トナー等の異物の進入を防止することが可能である光学系ユニットに関する。
【背景技術】
【０００２】
従来、例えば第１に、下面開放箱型のハウジングケースの天板に形成した傾斜部に細長い窓孔を穿設し、窓孔を覆うカバー板の長手方向両端部においてカバー板の長手方向に沿う平行状の一対の側縁における外側各部に係止爪ブロックと弾性係止片とを対向させハウジングケースに一体に形成するという光学装置が知られている（例えば特許文献１参照。）。
【０００３】
この光学装置は、カバー板を係止爪ブロック及び弾性係止片で押圧固定するものであるが、カバー板自体が係止爪ブロック及び弾性係止片の反対方向に反る構成を有しており、従ってカバー板の長手方向の複数箇所に係止爪ブロック及び弾性係止片を設けなければカバー板自体の反り返りで防塵性が損なわれることが当然に考えられる。
しかも、特に複数箇所にＵ字状の弾性係止片を構成することは困難を伴うものであり、仮に構成することが可能であったとしても、それでは構造が複雑になり実用に適さないであろうことが容易に考えられる。
【０００４】
第２に、光走査装置の光学箱をコイルバネによりモデル化される側板により床面等の固定部上に支持し、光学箱本体の底板に光偏光器の光学部品を取付け、光学箱本体の蓋体を弾性変形可能に形成し、蓋体の外側に光偏光器の軸心を通る鉛直線上に錘を固定し、蓋体と錘で振動吸収を構成して光走査装置の振動を抑えるという光走査装置が知られている（例えば特許文献２参照。）。
【０００５】
この光走査装置は、光偏光器の駆動とともに錘が振動することで光走査装置の振動を抑えるものであるが、光学箱本体においてレーザ光を感光体に照射する側の側面には防塵部材が設けられておらず、このため飛散トナー等の異物が進入する虞がある。
【０００６】
第３に、光学ハウジングの側面に開口部を設け、ポリゴンモータを側方から光学ハウジングに装着し、隔壁に設けた上下のガイドレール間にポリゴンモータの基板を挟み込みつつポリゴンモータを開口部の奥まで挿入し、底面側のスリーブを保持部材内に入り込ませ、保持部材の壁面でポリゴンモータ軸と直交する方向の位置決めを行うという光書込ユニットが知られている（例えば特許文献３参照。）。
【０００７】
この光書込ユニットは、光学ハウジングの側方の開口部からポリゴンモータを載置する基板を挿入させることでメンテナンスの容易化を図るものであるが、やはり防塵部材が設けられておらず、異物が進入する虞がある構成である。
【０００８】
即ち従来においては、飛散トナー等の異物が進入するのを防止する点で不完全な構成であり、内部が異物で汚染された場合に特段のメンテナンスが必要になるものであった。
【０００９】
このため、現在、図５及び図６に示すように、光学系（図示せず：ミラーＭｒ等を含む）を収容するハウジング５１とハウジング５１の上方側の開放領域を閉塞する上カバー５３との間で、光学系（図示せず）からの例えば画像読取信号（例えばＬＤビーム）を画像形成系の感光体（図示せず）等に出力する際の該信号の光路（信号路）となる側に防塵ガラス５５を設け、かつ防塵ガラス５５と上カバー５３との間で防塵部材５７を挟持し防塵性を向上させるという構成が工夫されている。
【００１０】
防塵部材５７の取付けには、例えば上カバー５３の両端側において上方からハウジング５１側に押力を加える所定の固定用フック（図示せず：特許請求の範囲に記載の固定部に相当）が利用されている。
【００１１】
尚、光学系からの画像読取信号（例えばＬＤビーム）は、ミラーＭｒで反射して画像形成系の感光体等に照射されるものである。このため上カバー５３の前方側、即ち画像読取信号（例えばＬＤビーム）の照射方向に向う前方側は、該信号（例えばＬＤビーム）の光路（信号路）を遮らないように所定の角度で図示上方に向けられている。
【００１２】
【特許文献１】特開平８−２０１３１号公報
【特許文献２】特開平９−１８４９９５号公報
【特許文献３】特開２００２−６２５０３号公報
【発明の開示】
【発明が解決しようとする課題】
【００１３】
しかしながら、図５及び図６に示す従来例においては、防塵部材５７の取付けに上カバー５３の左右両端側をハウジング５１側へ押圧する固定用フックを用いるため、上カバー５３の両端側が防塵部材５７の両端側を圧縮させて沈み込むという現象が現われる。この結果、図６に示すように、上カバー５３の中央側が防塵部材５７の反力で円弧を描いて浮き上がり、この部分の防塵性が低下するという課題があった。
防塵部材５７及び防塵ガラス５５の中央側の比較的広い領域は、光学系からの画像読取信号（例えばＬＤビーム）の光路（信号路）となるため、この領域には固定用フックを用いることができないからである。
また一方で、光学系ユニット自体の防塵性能の向上を図るとともに光学系ユニット自体の耐振動性能の向上を図ることが要望されている。
【００１４】
本発明は、上記従来技術の問題点を解決し、防塵性能の向上を図ることを第１の目的とし、さらに防振性能の向上とともに耐振動性能の向上をも同時に図ることを第２の目的とする光学系ユニットを構成するものである。
【課題を解決するための手段】
【００１５】
上記目的を達成するため、本発明は、光学系を収容するハウジングと、前記ハウジングの上面側の開放領域を閉塞する上カバーと、前記ハウジングと前記上カバーとの間で、前記光学系から出力される信号を透過させる側に配置される防塵部材及び防塵ガラスと、前記ハウジングの両端側で、前記防塵部材を前記防塵ガラス側に押圧し固定する固定部とを備えた光学系ユニットにおいて、前記上カバーに、前記防塵部材の上方中央側に相当する位置か、もしくは前記防塵ガラスの付近に相当する位置を前記防塵ガラス側乃至は前記ハウジング側へ押圧する押圧保持手段を構成したことを特徴とする。
【００１６】
前記押圧保持手段は、前記上カバーの両端側に構成した係止部と、前記係止部に係止された際に中央側の曲げ部分が前記防塵ガラスの方向に弾発力で押圧力を加える弾発部とを備えて構成したことを特徴とする。
【００１７】
前記押圧保持手段は、前記上カバーの上面で、前記防塵部材の上方中央側に相当する位置に配置した重り部材からなり、該重り部材は、前記上カバーの前記防塵部材による湾曲力よりも大きな押圧力を発し得る重量を有することを特徴とする。
【００１８】
前記押圧保持手段は、前記上カバーの上面または裏面で、前記防塵部材の付近に相当する位置に振動体を介して配設した重り部材からなり、該重り部材は、前記上カバーの前記防塵部材による湾曲力よりも大きな押圧力もしくは引力を発し得る重量を有することを特徴とする。
【発明の効果】
【００１９】
本発明によれば、押圧保持手段としての弾発部が上カバーの浮き上がりを抑えて平坦な状態を保持するため、その平坦になる部分も防塵部材を強く押圧し、各々の密着性を高め、防塵部材及び防塵ガラスによる防塵性能を大きく向上させる。
また、本発明によれば、重り部材の重量が加わることにより光学系ユニット全体の固有振動数を向上させ、他の部分の駆動等に伴う振動等に対する耐振動性能も向上する。
【発明を実施するための最良の形態】
【００２０】
以下、図１を参照して、本発明の第１の実施の形態に係る光学系ユニットを説明する。図１は本実施の形態の光学系ユニットの主要部の構成を示す斜視図であり、図２は光学系ユニットの正面側の構成を示す正面図である。尚、図１及び図２において図５及び図６に示す部分と同一部分には同一の符号を付して重複する説明は省略する。
【００２１】
図１に示すように、光学系ユニット１１の上カバー１３の上面において、防塵部材５７の真上に相当する位置の左右両端側には、上カバー１３の前方の方向に屈曲するＬ字状の係止部（押圧保持手段の一部）１５，１７が構成されている。
【００２２】
係止部１５，１７は、図１に示すように、具体的には、上カバー１３の上面に直立する直立部１９と、直立部１９の上端から上カバー１３の前方の方向に突出する突出部２１とをあらかじめ一体の状態にして構成されている。尚、上カバー１３のその他の構成は図５及び図６に示した上カバー５３の構成と同様であり、ハウジング５１の上方側の開放領域を閉塞するとともにハウジング５１との間で防塵ガラス５５及び防塵部材５７を挟持し固定するものである。
【００２３】
左右の係止部１５，１７には、図１に示すように、押圧保持手段としての弾発部２３が係止される。弾発部２３は、具体的には、弾発力を有する例えば金属板等から構成されており、本例では中央より所定の間隔分左右の外側の位置に所定の角度で図示上方に曲げ加工が施された曲げ部分２５，２５が構成されている。但し曲げ部分２５の形状は図示の形状に限定されるものではなく、Ｖ字状、湾曲状等任意の形状を用いても良いことは勿論である。
【００２４】
弾発部２３の両端側を上カバー１３における上面の左右両端側に構成された係止部１５，１７の突出部２１の裏面に係止した場合、弾発部２３の曲げ部分２５，２５の角度が１８０°近くに広げられるため、曲げ部分２５，２５に弾発力（復帰力）が生じて、この弾発力が上カバー１３の対応する位置、即ち接する位置を防塵部材５７の方向に押圧する。
【００２５】
即ち、弾発部２３の押力は、上カバー１３をハウジング５１に例えば所定の固定用フック（図示せず：特許請求の範囲に記載の固定部に相当）を用いて固定したことで、防塵部材５７の反力により上カバー１３の前方の中央側が浮き上がる力よりも大きな押力に設定されており、このため弾発部２３を用いた場合、図２に示すように、弾発部２３の押力が上カバー１３の防塵部材５７の反力による浮き上がりを抑え、上カバー１３の平坦な状態を保持する。
【００２６】
本実施の形態においては、弾発部２３が上カバー１３の浮き上がりを抑えて平坦な状態を保持するため、その平坦になる部分も防塵部材５７を強く押圧する結果、各々の密着性を高め、防塵部材５７及び防塵ガラス５５による防塵性能を大きく向上させる。また、弾発部２３の取外しは容易であり、このため光学系ユニット１１のメンテナンスの簡便性を悪くすることがなく、即ち使用に際して何ら悪影響を生ぜず利便性に優れる。
【００２７】
次に、図３を参照して、本発明の第２の実施の形態に係る光学系ユニットを説明する。図３は本実施の形態の光学系ユニットの主要部の構成を示す要部断面図である。尚、図３において図５及び図６に示す部分と同一部分には同一の符号を付して重複する説明は省略する。
【００２８】
図３に示すように、光学系ユニット３１の上カバー（図５参照）５３の上面において、防塵部材５７の中央側の真上に相当する位置から上カバー５３の若干後方側の位置にかけて押圧保持手段としての重り部材３３が載置されている。重り部材３３は、上カバー５３の防塵部材５７の反力に伴う湾曲力よりも大きな押圧力を発し得る重量を有する。重り部材３３は一例として所定の金属等であることが好ましい。重り部材３３の載置に際しては貼付技術を一例として採用するが、ネジ止め等任意の技術を用いても良いことは勿論である。
【００２９】
重り部材３３を用いた場合、上カバー５３の対応する位置、即ち防塵部材５７の真上の位置から若干後方の位置にかけて防塵部材５７を防塵ガラス５５の方向に押圧するとともに上カバー５３を図示下方に押圧する。
【００３０】
即ち、重り部材３３の押力は、上カバー５３をハウジング５１に例えば所定の固定用フック（図示せず）を用いて固定したことで、防塵部材５７の反力により上カバー５３の前方の中央側が浮き上がる力よりも大きな押圧力を生じ得る重量であるため、重り部材３３の押圧力が上カバー５３の防塵部材５７の反力による浮き上がりを抑え、上カバー５３の平坦な状態を保持する。
【００３１】
本実施の形態においては、重り部材３３が上カバー５３の浮き上がりを抑えて平坦な状態を保持するため、その平坦になる部分も防塵部材５７を強く押圧する結果となり、同じく防塵部材５７及び防塵ガラス５５による防塵性能を大きく向上させる。
【００３２】
また、本実施の形態においては、重り部材３３の重量が加わることにより光学系ユニット３１全体の固有振動数が向上し、例えばポリゴンミラーの回転に伴う振動や画像形成系（図示せず）の各部の駆動等に伴う振動等に対する耐振動性能も向上する。光学系ユニット３１の耐振動性能の向上によりハウジング５１内部の光学系から出力される画像読取信号（例えばＬＤビーム）等の微妙なブレ等をも有効に防止することが可能となる。
【００３３】
また、重り部材３３の設置が光学系ユニット３１のメンテナンスの簡便性を悪くすることはなく、即ち使用に際して利便性の面でも有利である。
【００３４】
次に、図４を参照して、本発明の第３の実施の形態に係る光学系ユニットを説明する。図４は本実施の形態の光学系ユニットの主要部の構成を示す要部断面図である。尚、図４において図５及び図６に示す部分と同一部分には同一の符号を付して重複する説明は省略する。
【００３５】
図４に示すように、光学系ユニット４１の上カバー（図５参照）５３の裏面において、防塵部材５７の例えば中央側の付近に相当する位置からの若干後方側の位置にかけて押圧保持手段としての振動体４３を介する重り部材４５が設置されている。振動体４３には例えばゴム、スポンジ、もしくはコイルバネ等を用いることが好ましい。重り部材４５は、上カバー５３の防塵部材５７の反力に伴う湾曲力よりも大きな押圧力を発し得る重量を有する。重り部材３３には例えば所定の金属等を用いることが好ましい。振動体４３の上カバー５３の裏面への設置に際しては例えば貼付技術を用い、重り部材４５の振動体４３への設置に際しても例えば貼付技術を用いるが、第２の実施の形態の場合と同様に一例としてネジ止め等任意の技術を用いても良いことは勿論である。
【００３６】
振動体４３を介する重り部材４５を用いた場合、上カバー５３の対応する位置、即ち防塵部材５７の付近の位置から若干後方の位置にかけて防塵部材５７を防塵ガラス５５の方向に押圧するとともに上カバー５３を図示下方に向わせる引力を発生する。
【００３７】
即ち、重り部材４５の押力（引力）も、上カバー５３をハウジング５１に例えば所定の固定用フック（図示せず）を用いて固定したことで、防塵部材５７の反力により上カバー５３の前方の中央側が浮き上がる力よりも大きな押圧力（図示下方へ向う引力）を生じ得る重量であるため、重り部材４５の引力が上カバー５３の防塵部材５７の反力による浮き上がりを抑え、上カバー５３の平坦な状態を保持する。
【００３８】
本実施の形態においては、重り部材４５が上カバー５３の浮き上がりを抑えて平坦な状態を保持するため、その平坦になる部分も防塵部材５７を強く押圧する結果となり、同じく防塵部材５７及び防塵ガラス５５による防塵性能を大きく向上させる。
【００３９】
また、本実施の形態においては、重り部材４５が振動体４３を介して重量を加わえることにより、特に振動体４３が重り部材４５の振動性を向上させ、光学系ユニット４１全体の固有振動数がさらに向上するものとなり、例えばポリゴンミラーの回転に伴う振動や画像形成系（図示せず）の各部の駆動等に伴う振動等に対する耐振動性能もさらに大きく向上する。この結果、ハウジング５１内部の光学系から出力される画像読取信号（例えばＬＤビーム）等の微妙なブレ等をもさらに有効に防止することが可能となる。
【００４０】
また、振動体４３を介する重り部材４５の設置が光学系ユニット４１のメンテナンスの簡便性を悪くすることはなく、即ち使用に際して利便性の面でも有利である。
【００４１】
尚、振動体４３及び重り部材４５は上カバー５３の上面に設置しても同様の作用、効果が得られる。
【産業上の利用可能性】
【００４２】
本発明は、原稿等の情報を読み取って防塵ガラスから外方に画像読取信号（例えばＬＤビーム等）を出力する光学系ユニットに、該信号に悪影響を与えずに信頼性の高い防塵性能を発揮し維持することが可能で、かつ耐振動性能の向上をも図ることが可能であり、これらの観点から例えば画像形成装置の高い防塵性を必要とする他の所要の部分にも利用することが可能である。
【図面の簡単な説明】
【００４３】
【図１】本発明の第１の実施の形態に係る光学系ユニットの主要部の構成を示す斜視図である。
【図２】第１の実施の形態に係る光学系ユニットの正面側の構成を示す正面図である。
【図３】本発明の第２の実施の形態に係る光学系ユニットの要部の構成を示す要部断面図である。
【図４】本発明の第３の実施の形態に係る光学系ユニットの要部の構成を示す要部断面図である。
【図５】従来の技術の要部の構成を示す要部断面図である。
【図６】従来の技術の要部の構成を示す一部破断正面図である。
【符号の説明】
【００４４】
１１  光学系ユニット
１３  上カバー
１５，１７  係止部
１９  直立部
２１  突出部
２３  弾発部
２５  曲げ部分
３１  光学系ユニット
３３  重り部材
４１  光学系ユニット
４３  振動体
４５  重り部材
５１  ハウジング
５３  上カバー
５５  防塵ガラス
５７  防塵部材
Ｍｒ  ミラー
【図１】
2005260396.tif 000003
【図２】
2005260396.tif 000004
【図３】
2005260396.tif 000005
【図４】
2005260396.tif 000006
【図５】
2005260396.tif 000007
【図６】
2005260396.tif 000008